(57)【要約】【課題】  施工が容易で、施工者に負担のかからない、安全な床フランジを提供すること。【解決手段】  便器固定用のＴボルト７とＴボルトを押し上げるバネとを備え頭部を下にし、ネジ部７ｂを上に向けて配置されたＴボルトの頭部にバネの上端が接触し、Ｔボルトが上下動自在とされる。【選択図】図１
2006225965.tif 000002
【特許請求の範囲】
【請求項１】
便器固定用のＴボルトとＴボルトを押し上げるバネとを備えた床フランジであって、頭部を下にし、ネジ部を上に向けて配置されたＴボルトの頭部にバネの上端が接触し、Ｔボルトが上下動自在となっていることを特徴とする床フランジ。
【発明の詳細な説明】
【技術分野】
【０００１】
本願発明は、便器の床固定に用いられる床フランジに関するものである。
【背景技術】
【０００２】
便器は、排水の受け口となる床フランジを介して床に固定される。本出願人は、次のような便器固定構造を提案している（特許文献１参照）。
【０００３】
図５の要部断面図に示したように、床５０に固定された床フランジ５１にフランジ孔５２が穿設され、このフランジ孔５２に断面Ｔ字型の形状を有するＴボルト５３の頭部５３ａが嵌入されてＴボルト５３のネジ部５３ｂが床５０に立設される。便器の底部５４にはボルト孔が穿設され、このボルト孔にブッシュ５５が取り付けられる。ブッシュ５５は、内部に係止片５６を有しており、ブッシュ５５の内部にＴボルト５３のネジ部５３ｂを通して便器を床５０の上に配置すると、ブッシュ５５の係止片５６がＴボルト５３のネジ部５３ｂに係合する。この係合により便器は床フランジ５１を介して床５０に固定される。便器の底部５４より上方に突き抜けるＴボルト５３のネジ部５３ｂには化粧キャップ５７がねじ込み式で装着される。
【特許文献１】特開２００４−２７８２５２号公報
【発明の開示】
【発明が解決しようとする課題】
【０００４】
図５に示した先に提案した便器固定構造は、便器の固定にナットを不要とし、ナットの締付けに起因して生じやすい便器および床フランジ５１の割れという問題を解消することができるという利点を有する反面、施工上の問題が指摘される。
【０００５】
すなわち、Ｔボルト５３は、頭部５３ａがフランジ孔５２に嵌入されているため、床フランジ５１に固定されていて、便器を設置する際には、便器をＴボルト５３のネジ部５３ｂの高さ以上に持ち上げなければならず、また、便器を持ち上げながら、ボルト孔に装着されたブッシュ５５の内部にＴボルト５３のネジ部５３ｂを通さなければならない。このように、便器の施工はかなり難しく、負担の大きい作業となっている。もし位置を誤って便器を置いてしまうと、Ｔボルト５３のネジ部５３ｂが立設されているため、便器または床フランジ５１に破損を生じさせる可能性がある。
【０００６】
本願発明は、このような事情に鑑みてなされたものであり、施工が容易で、施工者に負担のかからない、安全な床フランジを提供することを課題としている。
【課題を解決するための手段】
【０００７】
本願発明は、上記の課題を解決するために、便器固定用のＴボルトとＴボルトを押し上げるバネとを備えた床フランジであって、頭部を下にし、ネジ部を上に向けて配置されたＴボルトの頭部にバネの上端が接触し、Ｔボルトが上下動自在となっていることを特徴としている。
【発明の効果】
【０００８】
本願発明によれば、便器底部に設けられた固定用穴がＴボルトのネジ部と位置ずれして配置される場合、Ｔボルトが下に沈み込み、便器または床フランジが破損するのが防止される。固定用穴とＴボルトのネジ部とを一致させるには、便器を床の上に配置したままの状態で位置をずらすだけでよく、便器を持ち上げる必要はない。固定用穴がＴボルトのネジ部と一致するとき、バネの弾性によりＴボルトが押し上げられてネジ部が固定用穴から突出する。したがって、便器の施工が容易となり、施工者の負担が軽減される。
【発明を実施するための最良の形態】
【０００９】
図１＜ａ＞＜ｂ＞は、それぞれ、本願発明の床フランジの一実施形態を示した斜視図である。図２は、図１に示した床フランジを便器とともに示した断面図である。
【００１０】
床フランジ１には、中央開口部２を挟んで対称位置にＴボルト取付部３が２つ設けられている。Ｔボルト取付部３には、一側面がＴ字状に開口し、上面が溝状に開口する空洞部４が形成されている。この空洞部４において、一側面のＴ字状開口は、断面Ｔ字型の形状を有するＴボルトの頭部より大きめの大きさを有し、上面の溝状開口は、Ｔボルトの頭部より小さく、かつネジ部の外径より大きめの幅を有している。空洞部４には下方にくぼむ凹所５が形成されている。図２に示したように、凹所５に下部が嵌り込んで、バネ６が空洞部４内で立設される。Ｔボルト７は、頭部３ａが空洞部４内に挿入されてＴボルト取付部３に取り付けられる。Ｔボルト７の取付けは、Ｔボルト取付部３の一側面に形成されたＴ字状開口を通じて頭部７ａを横から空洞部４内に差し込み、ネジ部７ｂをＴボルト取付部３の上面の溝状開口に沿ってスライドさせ、頭部７ａをバネ６の上端に接触させることにより行われる。Ｔボルト７がＴボルト取付部３に取り付けられた状態では、Ｔボルト７はバネ６の弾性力によって押し上げられ、頭部７ａがバネ６の上端とＴボルト取付部３の上面との間で挟持され、ネジ部７ｂが溝状開口から上方に突き出る。
【００１１】
Ｔボルト７は、ネジ部７ｂの上端に下方に押し下げる力が働くと、バネ６が縮むため、下方へ沈み込む。ネジ部７ｂの上端に作用する下向きの力が解除されると、バネ６は弾性により初期長さに復帰し、Ｔボルト７は上方へ押し戻される。このように、Ｔボルト７は、床フランジ１において上下動が自在となっている。
【００１２】
以上の床フランジ１は、便器の設置に先立ってトイレルームの床の所定位置にネジ等の固定具を用いて固定される。便器は、図２に示したように、床フランジ１の上方から床の上に配置される。便器の底部８には所定位置に固定用穴９が設けられている。固定用穴９には、図５に示した便器固定構造に採用されているブッシュ５５をあらかじめ取り付けておくことができるが、ブッシュ５５に替えてナットの使用も可能である。
【００１３】
便器を床フランジ１の上方から配置する際、固定用穴９のが床フランジ１に取り付けられたＴボルト７のネジ部７ｂに一致しないと、固定用穴９にネジ部７ｂは通らない。この場合、図３に示したように、ネジ部７ｂの上端に便器の底部８が接触し、Ｔボルト７は便器の重量により下方に押圧されるが、床フランジ１では、下向きの力によりバネ６が縮むことができるため、Ｔボルト７はネジ部７ｂが便器の底部８に接触したまま下方に沈み込む。このＴボルト７の沈込みにより便器または床フランジ１が破損することが防止される。
【００１４】
固定用穴９にＴボルト７のネジ部７ｂを通すには、図４に示したように、便器を持ち上げるようなことはせず、床に配置したままの状態で位置をずらし、固定用穴９にＴボルト７のネジ部７ｂを一致させる。すると、Ｔボルト７に作用していた上方からの押圧力が解除されるため、押し縮められていたバネ６が初期長さに復帰し、Ｔボルト７を上方へと押し上げる。ネジ部７ｂが便器の底部８の固定用穴９から上方へと突き出る。
【００１５】
このように、床フランジ１ではＴボルト７が上下動自在となっているため、便器を配置する際に底部８の固定用穴９がＴボルト７のネジ部７ｂに一致しなくとも、床の上に配置した状態で便器の位置をずらすだけで固定用穴９にネジ部７ｂを通すことができる。床フランジ１を用いることによって、便器の施工が容易となり、施工者の負担が軽減される。
【００１６】
本願発明は、以上の実施形態によって限定されることはない。Ｔボルト取付部等の細部の構成および構造については様々な態様が可能である。
【図面の簡単な説明】
【００１７】
【図１】＜ａ＞＜ｂ＞は、それぞれ、本願発明の床フランジの一実施形態を示した斜視図である。
【図２】図１に示した床フランジを便器とともに示した断面図である。
【図３】便器の配置状態とそのときの床フランジの状態を示した断面図である。
【図４】固定用穴とネジ部を一致させる際の作業と、固定用穴とネジ部が一致した場合の床フランジの状態を示した断面図である。
【図５】先に提案した便器固定構造を示した要部断面図である。
【符号の説明】
【００１８】
１    床フランジ
２    中央開口部
３    Ｔボルト取付部
４    空洞部
５    凹所
６    バネ
７    Ｔボルト
７ａ    頭部
７ｂ    ネジ部
８    底部
９    固定用穴
【図１】
2006225965.tif 000003
【図２】
2006225965.tif 000004
【図３】
2006225965.tif 000005
【図４】
2006225965.tif 000006
【図５】
2006225965.tif 000007